(57)【特許請求の範囲】
【請求項１】
複数の糸調子に関わるそれぞれの調節値を画面に表示する表示手段を備えたミシンにおいて、
前記表示手段の画面の近傍のミシン前面には、布地を示す絵若しくは文字を表示し、
前記布地を示す絵若しくは文字の近傍のミシン前面には、布地の厚みを複数に区分して示す布厚の形象若しくは文字を前記表示手段の画面に沿って並列表示し、
前記複数の布厚の形象若しくは文字のいずれかを選択するための布地選択操作手段の操作に基づいて、前記表示手段の画面上に前記複数の布厚の形象若しくは文字のいずれかに接近させて布地指示マークを対応表示させるように構成したことを特徴とするミシン。
【発明の詳細な説明】
【０００１】
【発明の属する技術分野】
本発明は、選択された布地の種類に基づき、ミシンの調節値を表示するミシンに関するものである。
【０００２】
【従来の技術】
従来のそのようなミシンでは、特開平５−２９３２６６号公報に記載されたように、縫い方及び布の種類を設定すると、ミシン前面の表示画面に、その縫い方及び布の種類に最適なテンションを表示する。このミシンでは、縫い方、布の種類、及びテンションを文字で全て同一画面に表示するために多段の文字列を表示できる大型の表示画面を用いている。
【０００３】
【発明が解決しようとする課題】
しかしながら、一画面で選択された布地とミシンの調節値とを同一画面上で確認できるように大型の画面をミシンに用いると、コスト上昇や消費電力の増加を招いていた。また、大型の画面は、ミシン自体を小型化する上で妨げとなるという問題点があった。
【０００４】
本発明は、上述した問題点を解決するためになされたものであり、布地の種類に基づく布厚の把握が容易であり、安価で消費電力の少ないミシン提供することを目的とする。
【０００５】
【課題を解決するための手段】
この目的を達成するために、請求項１記載のミシンは、複数の糸調子に関わるそれぞれの調節値を画面に表示する表示手段を備えたものにおいて、前記表示手段の画面の近傍のミシン前面には、布地を示す絵若しくは文字を表示し、前記布地を示す絵若しくは文字の近傍のミシン前面には、布地の厚みを複数に区分して示す布厚の形象若しくは文字を前記表示手段の画面に沿って並列表示し、前記複数の布厚の形象若しくは文字のいずれかを選択するための布地選択操作手段の操作に基づいて、前記表示手段の画面上に前記複数の布厚の形象若しくは文字のいずれかに接近させて布地指示マークを対応表示させるように構成したものである。
【０００６】
【０００７】
【０００８】
【０００９】
【００１０】
【発明の実施の形態】
以下、本発明の実施の形態について図面を参照して説明する。
【００１１】
本発明の実施形態のミシンは、図１に示すように、ロックミシンであり、４つの糸調子器、操作可能な糸調子ダイヤル、及び通常の縫製機構（ルーパ、針、ミシンモータなど）を備えている。また、このミシンは、図４に示すように、ＣＰＵ、ＲＡＭ、ＲＯＭ、ドライバー等を備え、縫い方や布地の種類が入力操作されると、それに従い調節値を表示するように構成されている。
【００１２】
ＲＯＭには、そのために図５のフローチャートで示すプログラムや、縫い方及び布地の種類に対応する糸調子器の最適な調節値（多数）が記憶されている。ＲＡＭは、そのプログラム処理中に一時記憶装置として用いられ、現在、どの縫い方や布地が選択されたかを記憶するための記憶エリアがそれぞれ設けられている。ＣＰＵは、ＲＡＭの記憶エリアの記憶内容に基づき、選択された縫い方及び布地に対する糸調子器の最適な調節値を演算及び表示する。即ち、ＣＰＵは、多数記憶された糸調子器の調節値の中から最適な値を自動的に選び出す。
【００１３】
ミシンの正面には、白黒の液晶の表示装置が配置され、その画面は、１列の文字列を表示する。この表示装置１の画面は、カタカナ、数字及びマイナス記号ｍ（布地指示マーク）を表示をできる程度の最低限のドットマトリックス機能を備えており、非常に小型で安価なもので入手の容易な表示装置である。
【００１４】
この表示画面１の右脇近傍には、布地の厚みをイメージした形象３（布地説明部）がミシン前面に描画されている。その形象は、３つあり上から順に薄地、普通厚の普通地、厚地を示している。それら３つの形象の上方には、布地を説明している部分であることを示す絵２が布地をイメージして描画されている。
【００１５】
また、表示画面１の左側下方には、複数の縫い方のうちから１つの縫い方を選択するための縫い方選択操作キー４、３種類（薄地、普通地、厚地）の布地から１つの布地の種類を選択するための布地選択操作キー５が備えられている。縫い方選択操作キー４を操作することにより、上記表示画面１にカタカナで表示される縫い方を切り替えつつ、縫い方を選択できる。また、布地選択操作キー５を操作すると、表示画面１の画面上の最も右側に表示されるマイナス記号ｍの表示位置が上中下と３段階に切り替わるように構成されている（Ｓ５０、Ｓ６０）。尚、縫い方の選択は、縫い方選択キー４により縫い方の候補を順次切り替え、選択決定キー（図４）により選択が完了するが、布地の種類の選択は、布地選択操作キー５の操作だけで行われる。
【００１６】
次に、布地の種類の選択について説明する。
【００１７】
ミシンを立ち上げたときは、図２に示すように、布地をイメージして描画した絵２と、布地の種類に基づく厚みをイメージした形象３とにより布厚を選択できることが一見して容易に把握できると共に、薄地が初期設定として指定され、マイナス記号ｍは最上段の薄地の形象の左側に表示される（Ｓ１０）。また、縫い方としては、初期設定の縫い方として所定の縫い方が自動的に指定される。次に、布地選択操作キー５を押圧すると（Ｓ７０：Ｙ）、図３に示すように、マイナス記号ｍが、中段の普通地の形象の左側に表示される（Ｓ１００）。更に、布地選択操作キー５を押圧すると（Ｓ８０：Ｙ）、マイナス記号ｍが、最下段の厚地の形象の左側に表示される（Ｓ８５）。次に、布地選択操作キー５を押圧すると、最上段の薄地を選択した状態となる（Ｓ９０：Ｙ，Ｓ９５）。このように、マイナス記号ｍは、布地の選択に従って選択された布地の説明と一直線となるように位置を変更する。
【００１８】
このマイナス記号ｍの左側の画面には、選択された縫い方及び布地の種類に基づき予め決められた４つの糸調子器のテンションの調節値が４つ表示されるように構成されている。尚、この調節値は、上述した布地の種類（厚さ）を指定する操作に対応して、選択された布地に適した調節値を順次切り替え表示する（Ｓ２０）。
【００１９】
上述した実施の形態においては、布厚に応じてマイナス記号ｍの位置を上中下に合わせて、布厚をイメージした形象３を描画しているが、図６に示すように、文字であっても良い。また、上述した実施の形態においては、布厚に応じてマイナス記号ｍの位置を上中下と変更しているが、参考例として、図７に示すように、布厚を示すマークｎの厚さで示しても良い。更に、図７に示すマークｎの右側に布厚をイメージした形象３を合わせて描画しても良い。上述した実施の形態では、布地の種類は布厚であるが、参考例として、素材、伸縮性、枚数などであっても良い。
【００２０】
上述した実施の形態においては、縫い方を決定するための操作キーを設けたが、縫い方を表示することや縫い方の変更を中断することをもって縫い方を決定するようにミシンを構成しても良い。また、上述した実施の形態においては、糸調子の調節値と布厚の指示ためのマイナス記号ｍとを静止画像によって表示しているが、それらに加えて縫い方も参照できるように、画面のスクロール機能をミシンに持たせても良い。
【００２１】
【発明の効果】
以上説明したことから明かなように、請求項１記載のミシンによれば、表示手段の画面の近傍のミシン前面に布地を示す絵若しくは文字を表示すると共に、その近傍のミシン前面において布地の厚みを複数に区分して示す布厚の形象若しくは文字を前記表示手段の画面に沿って並列表示したので、布厚を選択できることが一見して容易に把握できると共に、布地選択操作手段の操作によって布地指示マークを前記布厚の形象若しくは文字のいずれかに対応表示させれば、選択した布厚と共にその布地を正確に把握することができる。また、布地の種類に関わる画面上の表示が少なく、ミシンの調節値と布地指示マークとを共に表示しても、表示画面が小さくてすむ。さらに、小さな画面で良いので、ミシンのコスト高騰が抑制され、画面の消費電力が少ない。
【００２２】
【００２３】
【００２４】
【００２５】
【図面の簡単な説明】
【図１】  図１は本発明のミシンを示す正面図である。
【図２】  図２は上記ミシンの表示部拡大図である。
【図３】  図３は上記ミシンの表示画面を示すである。
【図４】  図４は上記ミシンの電気的なブロック図である。
【図５】  図５は上記ミシンの表示画面制御のフローチャートである。
【図６】  図６は本発明の別の実施形態である。
【図７】  図７は本発明の参考例である。
【符号の説明】
１ 液晶表示部
２ 絵
３ 形象
５ 布地選択操作キー
ｍ マイナス記号
【図１】
0004128235.tif 000002
【図２】
0004128235.tif 000003
【図３】
0004128235.tif 000004
【図４】
0004128235.tif 000005
【図５】
0004128235.tif 000006
【図６】
0004128235.tif 000007
【図７】
0004128235.tif 000008